【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
眼（２）の運動を測定するための装置であって、眼（２）の潜在的運動野を、第１の画像反復周波数により全体画像として反復して記録するための第１の２次元位置分解検出器（１０）を備える前記装置において、
眼（２）のそれぞれの部分を、該第１の画像反復周波数より高い第２の画像反復周波数により部分画像として反復して記録するための第２の２次元位置分解検出器（１５）と、
２つの全体画像に基づいてその間の変位を求め、２つの部分画像に基づいてその間の変位を求め、これらの変位を連結することにより眼（２）の運動を求めるための計算ユニット（１１）と
を特徴とする装置。
【請求項２】
眼（２）の潜在的運動野をインコヒーレント光により照明するための第１の光源（３）と、
眼（２）のそれぞれの部分をコヒーレント光により、眼（２）で散乱した干渉性のコヒーレント光によって該当する部分にスペックルパターンが発生するように照明するための第２の光源（１２）と、
該第２の検出器（１５）が、該スペックルパターンの少なくとも一部分を、該当する部分画像として記録するように構成されていること
を特徴とする請求項１に記載の装置。
【請求項３】
前記第２の検出器（１５）が、スペックルパターンを該第２の検出器（１５）に、スペックルパターンの個々のスペックルが該第２の検出器（１５）の画素の大きさに対応するか、またはそれより大きい大きさを有するように拡大して結像するための光学系（９Ｂ）を有することを特徴とする請求項２に記載の装置。
【請求項４】
前記第１の光源（３）が、眼底（６）を赤外線光により照明するように構成されていること、
前記第１の検出器（１０）が、眼底（６）の少なくとも一部分を、眼の潜在的運動野として記録するように構成されていること、
前記第２の光源（１２）が、眼底（６）のそれぞれの部分を赤外線光により照明するように構成されていること
を特徴とする、眼（２）の眼底の運動を測定するための請求項２または３記載の装置。
【請求項５】
前記第２の光源（１２）が、（平面）照明角が１°〜１０°になるように構成されていることを特徴とする請求項２乃至４のいずれか１項に記載の装置。
【請求項６】
前記第２の光源（１２）が、眼瞳（５）の平面内で実質的に点状に構成されていることを特徴とする請求項２乃至５のいずれか１項に記載の装置。
【請求項７】
前記第２の光源（１２）が、眼（２）の瞳（５）に対して共役な平面内にコヒーレント光を集束するように構成されていることを特徴とする請求項２乃至６のいずれか１項に記載の装置。
【請求項８】
前記第２の光源（１２）のコヒーレント光の眼（２）への中央入射方向が、前記第２の検出器（１５）の観察方向と実質的に一致することを特徴とする請求項２乃至７のいずれか１項に記載の装置。
【請求項９】
前記第２の検出器（１５）が、レーザマウスの検出器として構成されていることを特徴とする請求項２乃至８のいずれか１項に記載の装置。
【請求項１０】
前記第２の検出器（１５）が、それぞれの部分に対して光学的に共役な平面（ＺＢ）内に配置されていることを特徴とする請求項１乃至９のいずれか１項に記載の装置。
【請求項１１】
前記計算ユニット（１１）が、コヒーレントな照明において、該当する２つの画像の画像内容の少なくともそれぞれ一部分を比較することにより、前記変位を求めることを特徴とする請求項１乃至１０のいずれか１項に記載の装置。
【請求項１２】
前記計算ユニット（１１）は、記録されたスペックルパターンの少なくともそれぞれ一部分を比較することにより、前記変位を求めることを特徴とする請求項１１に記載の装置。
【請求項１３】
第１の２次元位置分解検出器によって、少なくとも眼の潜在的運動野が第１の画像反復周波数により全体画像として反復して記録される、眼の運動を測定する方法において、
第２の２次元位置分解検出器によって、眼のそれぞれの部分が、該第１の画像反復周波数より高い第２の画像反復周波数により全体画像として反復して記録され、２つの全体画像に基づいてその間の変位が求められ、２つの部分画像に基づいてその間の変位が求められ、これら２つの変位の連結によって眼の運動が求められることを特徴とする方法。
【請求項１４】
眼（２）の運動を測定するための装置であって、眼（２）の一部を部分画像として反復して記録するための２次元位置分解検出器（１５）を備える前記装置において、
眼（２）の強膜（１７）をコヒーレント光により、該強膜（１７）で散乱した干渉性の光によってスペックルパターンが発生するように照明する光源（１２）と、
該検出器（１５）が、該スペックルパターンの少なくとも一部分を部分画像として記録するように構成されていること、
２つの部分画像に基づいてスペックルパターンのその間の変位を求め、該変位に基づいて眼（２）の運動を求めるための計算ユニットと
を特徴とする装置。
【請求項１５】
前記計算ユニットが、該当する部分画像の画像内容を比較することにより、前記変位を求めることを特徴とする請求項１４に記載の装置。
【請求項１６】
前記検出器（１５）が、スペックルパターンを該検出器（１５）に、スペックルパターンの個々のスペックルが該検出器（１５）の画素の大きさにほぼ対応するか、またはそれより大きい大きさを有するように、拡大して結像するための光学系を有することを特徴とする請求項１４または１５に記載の装置。
【請求項１７】
前記光源（１２）が、（平面）照明面積が１０μｍ２〜１ｍｍ２になるように構成されていることを特徴とする請求項１４乃至１６のいずれか１項に記載の装置。
【請求項１８】
前記光源（１２）のコヒーレント光の眼への中央入射方向が、前記検出器（１５）の観察方向と実質的に一致することを特徴とする請求項１４乃至１７のいずれか１項に記載の装置。
【請求項１９】
前記検出器（１５）が、レーザマウスの検出器として構成されていることを特徴とする請求項１４乃至１８のいずれか１項に記載の装置。
【請求項２０】
前記検出器（１５）が、それぞれの部分に対して光学的に共役な平面内に配置されていることを特徴とする請求項１４乃至１９のいずれか１項に記載の装置。
【請求項２１】
眼底カメラ（１）または眼科学レーザシステム内に配置されていることを特徴とする請求項１４乃至２０のいずれか１項に記載の装置。
【請求項２２】
照明および検出のための無反射フロント対物レンズ、または照明および検出の軸外れ構成を特徴とする請求項２１に記載の装置。
【請求項２３】
２次元位置分解検出器によって眼の一部を部分画像として反復して記録する、眼の運動を測定する方法において、
眼の強膜がコヒーレント光の光源によって、該強膜で散乱する干渉性の光によってスペックルパターンが発生するように照明され、該スペックルパターンから該検出器によってそれぞれの部分が部分画像として記録され、２つの部分画像に基づいて記録されたスペックルパターンの少なくとも一部分のその間の変位が求められ、該変位に基づいて眼の運動が求められることを特徴とする方法。
【請求項２４】
該当する２つの部分画像の画像内容の比較により、前記変位が求められることを特徴とする請求項２３に記載の方法。
【請求項２５】
記録された２つ以上の部分画像が、それぞれ求められた変位に基づいてモザイク状に１つの全体画像に統合され、それぞれ最後に記録された部分画像に対するスペックルパターンの変位が、該部分画像の画像内容と該全体画像の画像内容との比較によって求められることを特徴とする請求項２３または２４に記載の方法。
【請求項２６】
前記運動が出力されることを特徴とする請求項１３または２３乃至２５のいずれか１項に記載の方法。
【請求項２７】
請求項１３または２３乃至２６のいずれか１項に記載の方法を実施するように構成された、コンピュータプログラム、該コンピュータプログラムを備えるデータ媒体、または制御ユニット。